(57)【要約】【課題】箱形の端子金具の下辺部にＶ溝を形成した端子装置において、細い電線も確実に締め付けられるようにする。【解決手段】下辺部にＶ溝２を有する箱形の端子金具１と、その上辺部にねじ込まれた端子ねじ３と、その先端に装着された座金４とを備え、電気機器の端子板５と座金４及び端子金具１の下辺部との間に挿入された電線６,７を端子ねじ３により端子板５に締め付ける電機機器の端子装置において、端子金具１のＶ溝２に被せる押え金具９を設け、Ｖ溝２の深さよりも小径の電線７を接続する場合には、この電線を押え金具９と端子板との間で締め付けるようにする。押え金具９でＶ溝２の隙間を塞ぎ、小径の電線７も押え金具９と端子板５との間で確実に締め付けることができる。【選択図】  図１
2006120327.tif 000002
【特許請求の範囲】
【請求項１】
下辺部にＶ溝を有する箱形の端子金具と、この端子金具の上辺部にねじ込まれた端子ねじと、この端子ねじの先端に装着された座金とを備え、電気機器の端子板と前記座金及び前記端子金具の下辺部との間に挿入された電線を前記端子ねじにより前記端子板に締め付ける電機機器の端子装置において、
前記端子金具のＶ溝に被せる押え金具を設け、前記Ｖ溝の深さよりも小径の電線を接続する場合には、この小径の電線を前記押え金具と端子板との間に挿入して締め付けるようにしたことを特徴とする電気機器の端子装置。
【請求項２】
前記押え金具を絶縁物のホルダに保持させ、このホルダを前記端子金具及び端子ねじの周囲を覆う絶縁カバーに着脱可能に装着するようにしたことを特徴とする請求項１記載の電気機器の端子装置。
【発明の詳細な説明】
【技術分野】
【０００１】
この発明は、電磁接触器や配線用遮断器などの電気機器の端子板に電線を接続するための端子装置に関する。
【背景技術】
【０００２】
上記した電線の接続には、電線の端末を圧着端子を介して端子板に締め付ける場合と直に締め付ける場合とがあり、直に締め付ける場合の接続を容易にする端子装置として、箱形の端子金具と、この端子金具の上辺部にねじ込まれた端子ねじと、この端子ねじの先端に装着された座金とを備えたものがある。このような端子装置については、例えば特許文献１に記載されているが、その一例を図３に示す。ここで、図３の（Ａ）は端子装置の正面図、（Ｂ）はその外側を絶縁カバーで囲んだ状態の正面図、（Ｃ）は図３（Ｂ）の縦断面図である。
【０００３】
図３において、端子装置は、下辺部１ａにＶ溝２を有する箱形（ロ字形）の端子金具１と、この端子金具の上辺部１ｂにねじ込まれた端子ねじ３と、この端子ねじの先端に装着されたＶ形の座金４とを備えている。この端子装置は電気機器の端子板５に嵌め込まれ、座金４及び端子金具１の下辺部１ｂとの間にそれぞれ挿入された電線６及び７が、端子ねじ３により端子板５に締め付けられる。図示端子装置には、端子金具１及び端子ねじ３の周囲を覆う中空角柱状の絶縁カバー８が設けられている。この端子カバー８は装着の便のために、鏡胴式に組み合わされる上部カバー８ａと下部カバー８ｂとに２分割されている。
【特許文献１】特開２００２−１９０３３１号公報
【発明の開示】
【発明が解決しようとする課題】
【０００４】
電磁接触器などの動力回路用の電気機器に用いられる端子装置は、適用される電気機器の定格電流に応じて比較的太い電線から細い電線まで種々の太さの電線の接続が可能であり、またモータの正逆運転などの用途により最低でも２本の電線の接続が可能であることが求められる。図３の端子装置は端子板５の上下に２箇所の接続スペースが設けられ、図示の場合は各接続スペースに比較的太い電線６,７が接続されている。これに対し、図４は、端子板５の上部に比較的太い電線６、下部に細い電線７が接続された場合を示している。
【０００５】
上に述べたように、端子装置は種々の太さの電線に対応可能であることが求められる一方、整線（配線後に電線の位置を整える作業）などで電線の姿勢を調整した場合に、電線の締め付けが緩まないことが要求される。その場合、太い電線は配線後の電線の位置決めが比較的安定しているが、細い電線は横に動きやすい。そのため、図３の装置では、端子金具１にＶ溝２が形成されるとともに座金４もＶ字形に形成され、Ｖ字形状の底部に配線が収められることにより整線時等の配線の横動きが規制されるようになっている。端子金具や座金の配線との接触面が平坦な端子装置も知られているが、このような端子装置は電線の横動きの自由度が大きく細い電線は緩みやすい。
【０００６】
一方、電磁接触器の配線においては、操作コイルに通電する制御回路電源を主回路から引き出す場合があり、その場合、制御回路には主回路に比べ細い電線を使用する。ところが、電線との接触面にＶ字形状を有する端子装置においては、図５に示すようにＶ溝２内で細い電線７と端子板５との間に隙間が発生し、電線７を充分に締め付けられないことがあった。
【０００７】
そこで、この発明の課題は、箱形の端子金具の下辺部にＶ溝を形成して配線の緩みを防止するようにした端子装置において、太い電線から細い電線まで確実に締め付けられるようにすることにある。
【課題を解決するための手段】
【０００８】
上記課題を解決するために、この発明は、下辺部にＶ溝を有する箱形の端子金具と、この端子金具の上辺部にねじ込まれた端子ねじと、この端子ねじの先端に装着された座金とを備え、電気機器の端子板と前記座金及び前記端子金具の下辺部との間に挿入された電線を前記端子ねじにより前記端子板に締め付ける電機機器の端子装置において、前記端子金具のＶ溝に被せる押え金具を設け、前記Ｖ溝の深さよりも小径の電線を接続する場合には、この小径の電線を前記押え金具と端子板との間に挿入して締め付けるようにするものである（請求項１）。
【０００９】
請求項１の発明によれば、押え金具を端子金具のＶ溝に被せることにより、Ｖ溝の隙間を押え金具で塞ぎ、小径の電線でも押え金具と端子板との間で確実に締め付けることができる。請求項１の発明において、前記押え金具を絶縁物のホルダに保持させ、このホルダを前記端子金具及び端子ねじの周囲を覆う絶縁カバーに着脱可能に装着するようにすれば、押え金具を直に着脱するよりも取り扱いが容易になる（請求項２）。
【発明の効果】
【００１０】
この発明によれば、端子金具に配線の横動き規制するＶ溝を形成して整線時等での配線の緩みを防止しながら、制御回路等の細い電線も緩みなく配線でき、太い電線から細い電線まで幅広く対応することが可能になる。
【発明を実施するための最良の形態】
【００１１】
図１及び図２はこの発明の実施の形態を示し、図１の（Ａ）は端子装置の正面図、（Ｂ）はその外側を絶縁カバーで囲んだ状態の正面図、（Ｃ）は図１（Ｂ）の縦断面図、（Ｄ）は図１（Ｂ）の一部を破断して示した平面図、図２は押え金具及びホルダの分解斜視図である。図１において、端子装置本体は図２の従来装置と実質的に同じであり、下辺部１ａにＶ溝２を有する箱形（ロ字形）の端子金具１と、この端子金具の上辺部１ｂにねじ込まれた端子ねじ３と、この端子ねじの先端に装着されたＶ形の座金４とを備えている。
【００１２】
図２において、９は押え金具で、互いに向かい合う上下２枚の長方形の押え板１０及び１１からなり、銅板、黄銅板、リン青銅板等の導電板で形成されている。押え板１０,１１の一端１０ａ,１１ａは直角に折り曲げられ、この折り曲げ端部１０ａ,１１ａの両端は左右に突出している。押え板１０及び１１には、それぞれ１本及び２本の突条１０ｂ及び１１ｂが、裏面からの押し出し成形により横向きに形成されている。
【００１３】
また、図２において、１２は押え金具９を保持するホルダで、樹脂絶縁物からコ字状に形成され、左右一対の腕部１２ａの間に箱状の保持部１２ｂが設けられている。保持部１２ｂには、押え板１０,１１の折り曲げ部１０ａ,１１ａを収容する溝穴１２ｃが上下方向に設けられ、この溝穴１２ｃは保持部１２ｂの下端面に開口している。更に、保持部１２ｂには、電線７を挿入させる方形の開口１２ｄが前後方向に貫通するように、下端面から切り欠き形成されている。
【００１４】
押え板１０,１１の折り曲げ部１０ａ,１１ａは、ホルダ１２の溝穴１２ｃにその下端面開口から挿入され、押え板１０,１１は折り曲げ部１０ａ,１１ａの両端突出部を介してホルダ１２に上下にスライド自在に保持される。溝穴１２ｃの下端面開口は、押え板１０,１１の挿入後に蓋板１２ｅの接着により閉鎖される。押え金具９を保持したホルダ１２は、図１に示すように、絶縁カバー８の下部カバー８ｂに前方から組み合わされ、腕部１２ａに設けられた穴１２ｆ（図２）が下部カバー８ｂの側面に設けられた突起８ｃに係合することにより絶縁カバー８に装着される。
【００１５】
図１において、端子板５には動力回路用の太い電線６と制御回路用の細い電線７とが接続されている。ここで、電線６の接続は図３の従来例と同じであるが、電線７は押え金具９の押え板１０と１１の間に挿入され、押え板１０を介して押え板１１と端子板５との間で締め付けられている。その際、端子金具１のＶ溝２による隙間は押え板１１で塞がれ、押え板１１と端子板５との隙間が小さくなる結果、細い制御線７も確実に締め付けられる。特に、２枚の押え板１０,１１の間に電線７が挿入された図示実施の形態においては、図１（ｃ）に示すように、１本の突条１０ｂが２本の突条１１ｂの間に食い込むため、電線７の締め付けはきわめて強固である。なお、押え金具９は、例えば押え板１１のみからなる１枚板としてもよい。
【図面の簡単な説明】
【００１６】
【図１】この発明の実施の形態を示し、（Ａ）は端子装置の正面図、（Ｂ）はその外側を絶縁カバーで囲んだ状態の正面図、（Ｃ）は（Ｂ）の縦断面図、（Ｄ）は（Ｂ）の平面図である。
【図２】図１における押え金具及びホルダの分解斜視図である。
【図３】従来例を示し、（Ａ）は端子装置の正面図、（Ｂ）はその外側を絶縁カバーで囲んだ状態の正面図、（Ｃ）は（Ｂ）の縦断面図である。
【図４】図３の端子装置において、端子板の下部に比較的細い電線を接続した場合を示す正面図である。
【図５】図３の端子装置において、端子板の下部に更に細い電線を接続した場合を示す正面図である。
【符号の説明】
【００１７】
１    端子金具
２    Ｖ溝
３    端子ねじ
４    座金
５    端子板
６    電線
７    電線
８    絶縁カバー
９    押え金具
１２    ホルダ
【図１】
2006120327.tif 000003
【図２】
2006120327.tif 000004
【図３】
2006120327.tif 000005
【図４】
2006120327.tif 000006
【図５】
2006120327.tif 000007